(57)【要約】【課題】出力周波数が固定のＣＩモジュールでも正しい周波数でＴＳ信号を送り、マイクロプロセッサでデータの欠落が生じないデコードを行うデジタル放送受信装置を提供する【解決手段】デジタル放送を受信してＴＳ信号を送出するフロントエンド部と、ＴＳ信号の暗号を復号化するモジュール部と、前記フロントエンド部が出力したＴＳ信号と前記モジュール部が復号化したＴＳ信号とから一方のＴＳ信号を選択して出力するＴＳ信号経路選択部と、前記ＴＳ信号経路選択部が選択したＴＳ信号をデコードするマイクロプロセッサ部とを備え、前記フロントエンド部から前記モジュール部に最初にＴＳ信号を出力する時に、前記フロントエンド部から放送で使用されるビットレートに対応したＴＳ周波数のうち最も高い周波数以上の周波数で出力することにより、ＣＩモジュールの出力周波数を、受信可能な放送の最高の周波数に設定することができる。【選択図】図１
2011160385.tif 000002
【特許請求の範囲】
【請求項１】
デジタル放送を受信してＴＳ（Transport stream）信号を送出するフロントエンド部と、
ＴＳ信号の暗号を復号化するモジュール部と、
前記フロントエンド部が出力したＴＳ信号と前記モジュール部が復号化したＴＳ信号とから一方のＴＳ信号を選択して出力するＴＳ信号経路選択部と、
前記ＴＳ信号経路選択部が選択したＴＳ信号をデコードするマイクロプロセッサ部とを備え、前記フロントエンド部から前記モジュール部に最初にＴＳ信号を出力する時に、前記フロントエンド部から放送で使用されるビットレートに対応したＴＳ周波数のうち最も高い周波数以上の周波数で出力することを特徴とするデジタル放送受信装置。
【発明の詳細な説明】
【技術分野】
【０００１】
本発明は、暗号をかけられた映像データの復号するモジュールを搭載するデジタル放送受信装置に関する。
【背景技術】
【０００２】
欧州向けデジタル放送受信装置では、有料放送を視聴するためにＣＩ（Common Interface）モジュールを用いる方式がとられている。フロントエンド部はデジタル放送を受信しＴＳ（Trans Stream）信号として出力する。ＴＳ信号は、ＴＳ出力信号経路選択部により有料放送を視聴するためＣＩモジュールが挿入されていればＣＩモジュールを経由し、ＣＩモジュールが未挿入であればＣＩモジュールを経由せずに後段のＴＳ入力信号経路選択部に出力される。
【０００３】
ＣＩモジュールはＴＳ出力信号経路選択部より受け取ったＴＳ信号を暗号が掛かっていれば解除し、掛かっていなければそのまま後段のＴＳ入力信号経路選択部に出力する。ＣＩモジュールは暗号を解除するためにＴＳ信号を蓄えてデータを変換するためＣＩモジュールから出力されるＴＳ信号の周波数はＣＩモジュールに入力されたＴＳ信号の周波数とはタイミングや周期が異なる。
【０００４】
ＣＩモジュールの規格ではＣＩモジュールから出力されるビットレートの上限は定められているが、実際に出力する周波数は決められていない。そのため、ＣＩモジュールの製造メーカによって対応はさまざまであり、また仕様も公開されていない。
【０００５】
ＣＩモジュールには入力されたＴＳ信号の周波数に応じてＣＩモジュールで信号処理した後のＴＳ信号の出力周波数を都度可変で出力するものや、電源投入後、最初に入力されたＴＳ信号の周波数に対応する周波数で信号処理した後のＴＳ信号を出力し、以降はＣＩモジュールがリセットされない限り入力されるＴＳ信号の周波数が変わっても最初に決定した周波数で固定で出力し続けるものなどがある。ＴＳ入力信号経路選択部はＣＩモジュールから来た信号もしくはＴＳ出力信号経路選択部より来た信号を実際のＴＳ信号の経路に応じて切り替えてマイクロプロセッサに渡す。マイクロプロセッサは受け取ったＴＳ信号をデコードして映像出力部に出力し、映像出力部により映像が映し出される（特許文献１参照）。
【先行技術文献】
【特許文献】
【０００６】
【特許文献１】特開２００８−０６６７６４号公報
【発明の開示】
【発明が解決しようとする課題】
【０００７】
従来欧州のデジタル放送はＤＶＢ−Ｔの方式が用いられており、前記従来のデジタル放送受信装置では、ＣＩモジュールに渡されるフロントエンド部からのＴＳ信号の周波数は２〜３ＭＨｚ程度だった。最初に入力された周波数で以降の出力周波数を決定するタイプのＣＩモジュールで２〜３ＭＨｚ程度の入力に対して５ＭＨｚ付近の周波数で出力されるものがあった。近年放送が始まったＤＶＢ−Ｔ２方式では放送の種類によってはフロントエンド部からのＴＳ信号が５．１ＭＨｚ程度になるものがあり、その場合、前述のタイプのＣＩモジュールで５ＭＨｚ付近の固定のＴＳ出力になっている状態でＤＶＢ−Ｔ２の５．１ＭＨｚ程度のＴＳ信号出力のチャンネルに切り替えた場合、ＴＳ信号のデータの欠落が生じマイクロプロセッサ部でデコードできなくなってしまう。またデコードできなくなるのを回避するためＣＩモジュールをリセットしなおした場合、チャンネル切り替えに時間がかかってしまう。
【０００８】
本発明は、前記従来の課題を解決するもので、出力周波数が固定のＣＩモジュールでも正しい周波数でＴＳ信号をマイクロプロセッサに送り、マイクロプロセッサでデータの欠落が生じないデコードを行うデジタル放送受信装置を提供することを目的とする。
【課題を解決するための手段】
【０００９】
前記従来の課題を解決するために、本発明のデジタル放送受信装置は、デジタル放送を受信してＴＳ（Transport stream）信号を送出するフロントエンド部と、ＴＳ信号の暗号を復号化するモジュール部と、前記フロントエンド部が出力したＴＳ信号と前記モジュール部が復号化したＴＳ信号とから一方のＴＳ信号を選択して出力するＴＳ信号経路選択部と、前記ＴＳ信号経路選択部が選択したＴＳ信号をデコードするマイクロプロセッサ部とを備え、前記フロントエンド部から前記モジュール部に最初にＴＳ信号を出力する時に、前記フロントエンド部から放送で使用されるビットレートに対応したＴＳ周波数のうち最も高い周波数以上の周波数で出力する。
【００１０】
本構成によって、ＣＩモジュールの出力周波数を、受信可能な放送の最高の周波数に設定することができる。
【発明の効果】
【００１１】
本発明のデジタル放送受信装置によれば、出力周波数が可変なＣＩモジュールのみでなく、出力周波数が固定のＣＩモジュールでも正しくＴＳ信号をマイクロプロセッサに送り、マイクロプロセッサでデータの欠落が生じないでデコードを行うことができる。
【図面の簡単な説明】
【００１２】
【図１】本発明の実施例１におけるデジタル放送受信装置１００のブロック図
【図２】本発明の実施例１におけるデジタル放送受信装置１００の動作を示すフローチャート
【発明を実施するための形態】
【００１３】
以下本発明を実施するための形態について、図面を参照しながら説明する。
【実施例１】
【００１４】
まず、本発明の実施例１のデジタル放送受信装置１００の構成について説明する。図１は、本発明の実施例１におけるデジタル放送受信装置１００のブロック図である。
【００１５】
デジタル放送受信装置１００は、フロントエンド部１１０、ＴＳ出力信号経路選択部１２０とモジュール部１３０と、ＴＳ入力信号経路選択部１４０と、マイクロプロセッサ部１５０と映像出力部１６０から構成される。
【００１６】
フロントエンド部１１０は、放送波を受信するチューナと放送波を受信してＴＳ信号を出力する復調部から構成されるもので、放送波が入力され、ＴＳ信号をＴＳ出力信号経路選択部１２０に出力する。フロントエンド部１１０は、モジュール部１３０にＴＳ信号を初めて出力するとき、受信できる放送の最も高い周波数をモジュール部１３０に出力する。また、フロントエンド部１１０は、マイクロプロセッサ部１５０の指示があった時、受信可能な放送の最も高い周波数を出力する。
【００１７】
ＴＳ出力信号経路選択部１２０は、フロントエンド部１１０から送られてきたＴＳ信号をモジュール部１３０かＴＳ入力信号経路選択部１４０かどちらに出力するのかを切り替える。
【００１８】
モジュール部１３０は、欧州の有料放送を視聴するためのＣＩモジュールを想定しており、暗号化されたＴＳ信号を復号化する機能を有している。モジュール部１３０は、復号したＴＳ信号をＴＳ入力信号経路選択部１４０に出力する。また、モジュール部１３０は、初めてＣＩモジュールが挿入されたときや、電源が入った瞬間にＣＩモジュールが挿入されている場合、マイクロプロッセッサ部１５０にＣＩモジュールの存在を連絡する。
【００１９】
ＴＳ入力信号経路選択部１４０は、ＴＳ出力信号経路選択部１２０から入力したＴＳ信号と、モジュール部１３０から入力したＴＳ信号のいずれかをマイクロプロセッサ部１５０に出力する。
【００２０】
マイクロプロセッサ部１５０はＴＳ信号をデコードして映像出力部１６０に出力し、映像出力部１６０で表示される。また、マイクロプロセッサ部１５０は、予めデジタル放送受信装置１００が受信可能な放送の最も高い周波数を記憶している。例えば、マイクロプロセッサ部１５０は、最も高い周波数を５．３ＭＨｚと記憶している。そして、モジュール部１３０にＣＩモジュールが挿入されたとき、フロントエンド部１１０に最も高い周波数の５．３ＭＨｚでＴＳ信号を出力するように制御する。
【００２１】
次に、本発明の実施例１のデジタル放送受信装置１００の動作について説明する。図２は、本発明の実施例１におけるデジタル放送受信装置１００の動作を示すフローチャートである。
【００２２】
フロントエンド部１１０でチャンネルを選局する（ステップＳ２１０）。モジュール部１３０にＣＩモジュールが挿入されているかどうかを確認する（ステップＳ２２０）。また、ＣＩモジュールが挿入された状態で電源が入ったりした時もステップＳ２２０と同様の確認を行う。ステップＳ２２０で、ＣＩモジュールが挿入されている場合、または、ＣＩモジュールが挿入された状態で電源が入ったりした場合、ＣＩモジュールにクロックが設定されているかどうかを確認する（ステップＳ２３０）。
【００２３】
ステップＳ２３０で、ＣＩモジュールにクロックが設定されていない場合、フロントエンド部１１０は最初だけＴＳ信号の出力周波数を放送される最も高い周波数より高い、もしくは同じ周波数、たとえばＤＶＢ−Ｔ，ＤＶＢ−Ｔ２なら５．１ＭＨｚ付近になるように設定する（ステップＳ２４０）。ＴＳ出力経路選択部１２０はモジュール部１３０をＴＳ信号の出力先に設定し、モジュール部１３０にＴＳ信号を出力する（ステップＳ２５０）。ＴＳ入力経路選択部１４０をモジュール部１３０からの信号を出力するように選択する（ステップＳ２６０）。ここで、モジュール部１３０に挿入されたＣＩモジュールが初期値によって出力を固定で出すタイプだった場合、５．３ＭＨｚ程度でＴＳ信号を出力する。
【００２４】
モジュール部１３０からＴＳ信号が出力された後、フロントエンド部１１０はＴＳ信号の出力周波数を受信した信号に応じた周波数に戻す（ステップＳ２７０）。そして、マイクロプロセッサ部１５０がＴＳ信号をデコードし（ステップＳ２８０）、映像出力部１６０が映像を出力する（ステップＳ２９０）。
【００２５】
以降、チャンネルを切り替えてもフロントエンド部１１０は放送のビットレートにあわせた周波数に設定するだけで高い周波数には設定しない。ＣＩモジュールが抜き挿しされたりリセットされたりした場合は、ＴＳ出力経路選択部１２０はＴＳ入力経路選択部１４０へのＴＳ出力にし、フロントエンド部１１０は高い周波数設定にするところからやり直す。
【００２６】
かかる構成によれば、モジュール部に最初に渡されるＴＳ信号の周波数は放送されている信号の周波数より高いため、モジュールから出力される周波数も放送されている周波数をすべてカバーすることができ、チャンネルを切り替えてもＣＩモジュールをリセットして出力周波数を設定しなおすことなく視聴することができチャンネル切り替え時の切り替え時間を短縮することができる。
【００２７】
なお、ＴＳ出力信号経路選択部１２０はモジュール部１３０とＴＳ入力信号経路選択部１４０に同時に出力できる分配器でも良い。
【００２８】
なお、マイクロプロセッサ部１５０は、予めデジタル放送受信装置１００が受信可能な放送の最も高い周波数を記憶しているとしたが、マイクロプロセッサ部１５０は、フロントエンド部１１０が受信した最も高い周波数を抽出して記憶し、モジュール部１３０にＣＩモジュールが初めて挿入されたとき、受信した放送の中の最も高い周波数でフロントエンド部１１０にＴＳ信号を出力させると制御してもよい。その場合は、予め受信可能な放送の最も高い周波数を設定する必要がなくなる。更に、新たな高い周波数の信号が受信可能になったときでも同様の対応が可能となる。
【００２９】
なお、マイクロプロセッサ部１５０で受信可能な放送の最も高い周波数を記録するとしたが、フロントエンド部１１０で記録するとしても良い。その場合は、フロントエンド部１１０のみで最も高い周波数を出力することができる。
【００３０】
また、ＴＳ信号の周波数を高くするのにＴＳ出力信号経路選択部１２０にバッファを設けＴＳ出力信号選択部で高くしてやってもよい。もしくはクロックジェネレータ等を用いダミーの高いＴＳ信号をモジュール部１３０に最初だけ送信する構成でも良い。
【産業上の利用可能性】
【００３１】
本発明にかかるデジタル放送受信装置はチャンネル切り替え時にＣＩモジュールのリセットを必要としなくなるので、チャンネル切り替え時の動作速度の向上に有効である。
【符号の説明】
【００３２】
１００  デジタル放送受信装置
１１０  フロントエンド部
１２０  ＴＳ出力信号経路選択部
１３０  モジュール部
１４０  ＴＳ入力信号経路選択部
１５０  マイクロプロセッサ部
１６０  映像出力部
【図１】
2011160385.tif 000003
【図２】
2011160385.tif 000004